(57)【要約】【課題】撮影者と被撮影者に適切な音量でサイン音を聞かせる。【解決手段】カメラに２個スピーカを設け、撮影者と被撮影者に聞かせる音（セルフタイマ音やシャッタ音など）と、撮影者のみに聞かせる音（起動音や操作音など）に分けて、適切な音量で、それぞれのスピーカから出力する。【選択図】        図１
2006047826.tif 000002
【特許請求の範囲】
【請求項１】
複数の種類の報知音を発生するカメラにおいて、撮影者に報知音を伝達することを主目的とした第１のスピーカと、被撮影者に報知音を伝達することを主目的とした第２のスピーカを設けたことを特徴とするカメラ。
【請求項２】
前記第１のスピーカの配置位置は、撮影レンズを備えた面以外の面上であることを特徴とする請求項１に記載のカメラ。
【請求項３】
前記第１のスピーカの配置位置は、撮影画像表示手段を配した面上であることを特徴とする請求項２に記載のカメラ。
【請求項４】
前記第２のスピーカの配置位置は、撮影レンズを配置した面上であることを特徴とする請求項１に記載のカメラ。
【請求項５】
報知音の種類によって、前記第１のスピーカと前記第２のスピーカの少なくとも一方から発生する音量を変化させる音量調節手段を設けたことを特徴とする請求項１乃至４いずれかに記載のカメラ。
【請求項６】
被撮影者に報知することを意図した報知音を他の報知音よりも大音量で前記第２のスピーカから報知する報知音出力手段を設けたことを特徴とする請求項５に記載のカメラ。
【請求項７】
前記被撮影者に報知することを意図した報知音は、撮影開始を予告する報知音であることを特徴とする請求項６に記載のカメラ。
【請求項８】
前記被撮影者に報知することを意図した報知音は、撮影終了を報知する報知音であることを特徴とする請求項６に記載のカメラ。
【発明の詳細な説明】
【技術分野】
【０００１】
本発明は、カメラに関するもので、特に、報知音を発生するカメラに関するものである。
【背景技術】
【０００２】
従来、銀塩フィルムに結像させて画像情報を記録する銀塩カメラや、フラッシュメモリなどの記録媒体に画像情報を記録する電子カメラには、セルフタイマ音、撮影モードを設定するための各種ボタンやダイヤルを操作するたびに発する操作音を発するものがある。
【０００３】
また、特に、電子カメラにおいては、電源を入れたときに発する起動音や、シャッタを押したときに発するシャッタ音、セルフタイマを用いる撮影モードで発するセルフタイマ音を音声データとして備えたものもある。
【０００４】
さらに、このような報知音を発するカメラにおいては、その音量をユーザーが可変する音量調節機能を備えたものもある。
【特許文献１】特開平０５−３１３２３７号公報
【発明の開示】
【発明が解決しようとする課題】
【０００５】
しかしながら、前記従来例においては、次のような欠点がある。
【０００６】
撮影場所の音環境は、静かな場所から騒がしい場所まで、まさに千差万別である。このように千差万別な音環境を有する撮影場所において、カメラから発する報知音の音量が適切でないと、各種の弊害を引き起こすことがある。
【０００７】
例えば、ユーザーが電子カメラの電源を入れたときに発生する起動音や銀塩カメラ及び電子カメラの各種設定を行うために操作部を操作するときに発生する操作音は、その機能を鑑みると、カメラを自らの手で操作している操作者のみに聞こえればよい音である。音源であるカメラとそれを聴覚情報として認識すべき操作者の耳までの距離は、数１０ｃｍ程度である。撮影に関係ない人や被撮影者にまで聞こえた場合、騒音と感じさせる可能性もある。
【０００８】
それに対して、撮影開始を予告するセルフタイマ音や撮影終了を報知するシャッタ音は、カメラから数ｍ乃至は数１０ｍ程度離れた被撮影者にも認識されるべき聴覚情報である。例えば、雑踏の中や大音量の音楽が掛かっているパーティ会場などでスナップ写真をとる場合、操作音のような、操作者（撮影者）のみに聞こえればよい報知音と同じ音量でセルフタイマ音の音量が設定されていると、被撮影者は、笑顔を作るタイミングをつかめない。そして、撮影者は、報知音の音量を大きく設定しなおし、被撮影者に謝り、もう一度、撮影を行うことになり、その結果、被撮影者の気分を損ね、良い写真を撮れなくなることにもつながる可能性がある。また、撮影しなおす場合、電池を余計に消耗することになり、撮影機会の減少にも繋がる。また、銀塩カメラでは、フィルムが無駄になり、電子カメラの場合でも、撮影に失敗した画像を消去するなど、余計な手間が発生する。
【０００９】
また、シャッタ音の音量が、被撮影者に聞こえないと、被撮影者は、撮影が終了したことが認識できず、笑顔やポーズを作った場合、それを止めるタイミングを瞬時に把握できないという問題がある。
【００１０】
すなわち、カメラの報知音の中には、操作者（撮影者）のみに聞かせるべき報知音と、操作者（撮影者）のみならず被撮影者にも聞かせるべき報知音に大別される。そして、それぞれの報知音群において、適正な音量が存在するわけである。
【００１１】
本発明はこれら従来技術の欠点を解決し、周囲の人や撮影者に不快な気持ちを与えず、資源の無駄な消費を防止し、さらに、貴重なシャッタチャンスを逃さないことを目的としている。
【課題を解決するための手段】
【００１２】
斯かる目的下において、本発明の請求項１のカメラにおいては、撮影者に報知音を伝達することを主目的とした第１のスピーカと、被撮影者に報知音を伝達することを主目的とした第２のスピーカを設けたことを特徴とする。
【００１３】
上述の如く構成することにより、撮影者に伝達する報知音と、被撮影者に伝達する報知音の音量や音質の設定の自由度を向上することができる。
【００１４】
本発明の請求項２のカメラにおいては、さらに、前記第１のスピーカの配置位置は、撮影レンズを備えた面以外の面上であることを特徴とする。
【００１５】
上述の如く構成することにより、撮影者に聞かせる報知音を発するためのエネルギーを高効率で活用できる。
【００１６】
本発明の請求項３のカメラにおいては、さらに、前記第１のスピーカの配置位置は、撮影画像表示手段を配した面上であることを特徴とする。
【００１７】
上述の如く構成することにより、撮影者に聞かせる報知音を発するためのエネルギーをさらに高効率で活用できる。
【００１８】
本発明の請求項４のカメラにおいては、さらに、前記第２のスピーカの配置位置は、撮影レンズを配置した面上であることを特徴とする。
【００１９】
上述の如く構成することにより、被撮影者に聞かせる報知音を発するためのエネルギーを高効率で活用できる。
【００２０】
本発明の請求項５のカメラにおいては、さらに、報知音の種類によって、前記第１のスピーカと前記第２のスピーカの少なくとも一方から発生する音量を変化させる音量調節手段を設けたことを特徴とする。
【００２１】
上述の如く構成することにより、報知音の種類によって、音量を変化させて報知することが可能である。
【００２２】
本発明の請求項６のカメラにおいては、さらに、被撮影者に報知することを意図した報知音を他の報知音よりも大音量で前記第２のスピーカから報知する報知音出力手段を設けたことを特徴とする。
【００２３】
上述の如く構成することにより、被撮影者に報知することを意図した報知音を他の報知音よりも大音量で報知することが可能であり、撮影者よりも遠距離にいる被撮影者にも、適切な音量で報知することが可能である。
【００２４】
本発明の請求項７のカメラにおいては、さらに、前記被撮影者に報知することを意図した報知音は、撮影開始を予告する報知音であることを特徴とする。
【００２５】
上述の如く構成することにより、撮影開始を予告する報知音を撮影者よりも遠距離にいる被撮影者にも、適切な音量で報知することが可能である。
【００２６】
本発明の請求項８のカメラにおいては、さらに、前記被撮影者に報知することを意図した報知音は、撮影終了を報知する報知音であることを特徴とする。
【００２７】
上述の如く構成することにより、撮影終了を報知する報知音を撮影者よりも遠距離にいる被撮影者にも、適切な音量で報知することが可能である。
【発明の効果】
【００２８】
本発明のカメラを用いることによって、報知音を適切な音量及び音色で発することができ、周囲の人や撮影者及び被撮影者に不快な気持ちを与えることがなく、また、貴重なシャッタチャンスを逃すことも防止できる。
【発明を実施するための最良の形態】
【００２９】
以下本発明を実施するための最良の形態を、実施例により詳しく説明する。
【実施例１】
【００３０】
以下、本発明の実施例１について、図面を参照して詳細に説明する。
【００３１】
図１は、本発明の実施の形態を示すデジタルカメラの前面図である。同図に示すように、撮像レンズ系２と被撮影者用スピーカ１４は、同じ面に配してあり、被撮影者に撮像レンズ系２を向けると、被撮影者用スピーカ１４も、被撮影者に向き、報知音を聞き取りやすくしている。
【００３２】
図２は、本発明の実施の形態を示すデジタルカメラの背面図である。同図に示すように、画像表示用ＬＣＤ９及びファインダ１８と撮影者用スピーカ１３は、同じ面に配してあり、撮影者が画像表示用ＬＣＤ９またはファインダ１８を見ると、撮影者用スピーカ１３は、撮影者に向き、報知音を聞き取りやすい。
【００３３】
図３は、本発明の実施の形態を示すデジタルカメラのブロック図である。ＣＰＵ１は、デジタルカメラ全体の動作を制御する。撮影レンズ系２は、フォーカス動作やズーム動作を行い、光を透過させる。シャッタ３は、撮影するタイミングをＣＰＵ１に伝える。撮影レンズ系２より取り込まれた光は、絞りなどの露光量を制御する露光制御手段４で露光量を制御され、ＣＣＤ５に２次元光学像として結像される。ＣＣＤ５は、２次元光学像を電気画像信号に光電変換し、画像用Ａ／Ｄコンバータ６は、電気画像信号をデジタル画像データに変換する。デジタル画像データは、画像データ用ＲＡＭ７に一時的に蓄積された後、記録媒体であるコンパクトフラッシュ（登録商標）８に記録される。
【００３４】
画像表示用ＬＣＤ９は、撮影時に画像を表示したり、デジタルカメラ全般の動作状態を報知するなどの各種メッセージなどを表示する。
【００３５】
制御用フラッシュＲＯＭ１０は、各種の制御用のデータを格納するＲＯＭである。
【００３６】
音源ＬＳＩ１１は、ＡＤＰＣＭ音源、ＦＭ音源、ハードウエアシーケンサ、音量調整部、音質補正用イコライザ、Ｄ／Ａコンバータ、スピーカアンプなどを内蔵している。マルチメディアコンテンツ用フラッシュＲＯＭ１２には、起動音、操作音、セルフタイマ音、レリーズ音などのデジタルオーディオデータや、ＳＭＡＦデータなどの音楽、画像、テキストなどを時間軸上で同期させるためのマルチメディアコンテンツデータが、格納されている。また、音源ＬＳＩ１１は、撮影者用スピーカ１３及び被撮影者用スピーカ１４とも接続されていて、それぞれを独立して駆動できる。
【００３７】
マイク１５は、音声処理ＬＳＩ１６に接続されている。音声処理ＬＳＩ１６は、マイクアンプ、音声用Ａ／Ｄコンバータ、ＤＳＰ、音声解析プログラム、音声用ＲＡＭなどを内蔵している。音声用ＲＡＭは、さらに、コンパクトフラッシュ（登録商標）８にも接続されている。
【００３８】
スイッチ群１７は、電源のオンオフや、デジタルカメラの各種設定及び操作を行うためのスイッチ群である。
【００３９】
次に、撮影時の動作について説明する。
【００４０】
撮影者が、スイッチ群１７を用いて撮影モードを選択すると、デジタルカメラに電源が入り、ＣＰＵ１が、初期化動作を開始する。本実施例のデジタルカメラにおいては、起動音をマルチメディアコンテンツ用フラッシュＲＯＭ１２に格納された数種類の音声データより選択することが可能であり、制御用フラッシュＲＯＭ１０には、どの起動音を使用するかを示す旨のデータが格納されている。ＣＰＵ１は、制御用フラッシュＲＯＭ１０のデータに基づいて、マルチメディアコンテンツ用フラッシュＲＯＭ１２から、使用する起動音のデジタルオーディオデータを呼び出し、Ｄ／Ａコンバータでアナログ信号に変換され、スピーカアンプで増幅されて、撮影者用スピーカ１３からのみ発せられる。すなわち、被撮影者用スピーカ１４からは、起動音を発音させない。通常、撮影者は、画像表示用ＬＣＤ９を見ながら操作するため、起動音は、撮影者によく聞こえる。また、被撮影者用スピーカ１４からは、発音されない。このため、被撮影者や関係のない人が、カメラ前面側にいた場合には、撮影者用スピーカ１３から発する起動音が、回折、透過、反射などして、伝わるため、撮影者が聞く音量よりも小さな音でしか聞こえない。発明者の実験結果の一例を挙げれば、カメラから同じ距離で比較すると、背面側よりも前面側のほうが、７ｄＢ程度、音圧レベルが低下した。さらに、撮影者とカメラの距離は、通常、１０〜５０ｃｍ程度であり、被撮影者など周囲の人間は、これよりも、さらに遠いところにいることが多い。よって、周囲にいる人間が聞く起動音の音圧レベルは、さらに低下する。よって、周囲に人が居た場合でも、迷惑や不快感を与える可能性が低い。このような工程を経て、デジタルカメラは、撮影可能な状態になる。
【００４１】
撮影レンズ系２より取り込まれた光は、絞りなどの露光量を制御する露光制御手段４で露光量を制御され、ＣＣＤ５に２次元光学像として結像される。ＣＣＤ５は、２次元光学像を電気画像信号に光電変換し、画像用Ａ／Ｄコンバータ６は、電気画像信号をデジタル画像データに変換する。デジタル画像データは、画像データ用ＲＡＭ７に一時的に蓄積され、画像表示用ＬＣＤ９にリアルタイムに画像を表示する。
【００４２】
本実施例のデジタルカメラにおいては、操作音、セルフタイマ音、レリーズ音をマルチメディアコンテンツ用フラッシュＲＯＭ１２に格納された数種類の音声データより選択することが可能であり、制御用フラッシュＲＯＭ１０には、どの起動音を使用するかを示す旨のデータが格納されている。例えば、ユーザーが、スイッチ群１７を押すと、ＣＰＵ１は、制御用フラッシュＲＯＭ１０のデータに基づいて、マルチメディアコンテンツ用フラッシュＲＯＭ１２から、使用する操作音のデジタルオーディオデータを呼び出し、操作音のデジタルオーディオデータは、Ｄ／Ａコンバータでアナログ信号に変換され、スピーカアンプで増幅されて、撮影者用スピーカ１３からのみ発せられる。すなわち、被撮影者用スピーカ１４からは、操作音を発音させない。このように構成することにより、操作音に関しても起動音と同様に、周囲に人が居た場合でも、迷惑や不快感を与える可能性が低い。
【００４３】
撮影者が、被写体を撮影するために、シャッタ３を押すと、ＣＰＵ１が、これを認識し、制御用フラッシュＲＯＭ１０のデータに基づいて、マルチメディアコンテンツ用フラッシュＲＯＭ１２から、使用するレリーズ音のデジタルオーディオデータを呼び出し、レリーズ音のデジタルオーディオデータは、Ｄ／Ａコンバータでアナログ信号に変換され、スピーカアンプで増幅されて、撮影者用スピーカ１３と被撮影者用スピーカ１４から出力される。被撮影者用スピーカ１４は、被撮影者の方に向いているため、レリーズ音は、被撮影者にも、よく聞こえる。なお、被撮影者用スピーカ１４から出力されるレリーズ音の音量は、撮影者用スピーカ１３よりも大きく設定されている。これは、一般的に、撮影者よりも被撮影者のほうが、カメラから遠いところにいるためである。反射物のない自由空間においては、
音圧レベル減衰［ｄＢ］＝２０＊ｌｏｇ（距離［ｍ］）
と表せる。一例として、撮影者とカメラの距離を３０ｃｍとした場合、撮影者用スピーカ１３の音圧レベルに対して、被撮影者用スピーカの音圧レベルを４．６ｄＢ程度大きくすることで、２ｍ先の被撮影者は、撮影者と同じ音量で報知音を聞くことができる。
【００４４】
そして、ＣＰＵ１は、画像用ＲＡＭ７に蓄積されているデジタル画像データをコンパクトフラッシュ（登録商標）８に記録するよう指示し、デジタル画像データは、コンパクトフラッシュ（登録商標）８に記録される。
【００４５】
また、セルフタイマ音に関しても、同様に、撮影者用スピーカ１３と被撮影者用スピーカ１４から出力されるようになっており、被撮影者は、レリーズ音と同様に、セルフタイマ音も、よく聞くことができ、撮影開始のタイミングを認識することが可能である。
【００４６】
また、撮影者用スピーカ１４の配置位置は、本実施例のように、画像表示用ＬＣＤ９及びファインダ１８と撮影者用スピーカ１３を同じ面に配すると、撮影時にファインダ１８を覗く場合には、カメラと耳の位置の関係より、音エネルギーを最も効率的に利用して撮影者に聞かせることが可能であるが、画像表示用ＬＣＤ９で撮像画像を確認しながら撮影する場合には、カメラを例えば、腹部の前あたりまで下げて撮影する可能性もある。このような場合は、撮影者用スピーカ１３を上面に配した方が、音エネルギーを効率的に利用できる。また、カメラ側面や底面に撮影者用スピーカ１３を配置した場合であっても、一般的に、被撮影者のほうが撮影者よりもカメラから遠くにいるため、撮影者用スピーカ１３は、報知音を撮影者用に聞かせるという機能を果たす。
【００４７】
また、撮影者用スピーカ１３及び被撮影者用スピーカ１４から、同時に報知音を発する場合、撮影者、被撮影者ともに、撮影者用スピーカ１３及び被撮影者用スピーカ１４からの合成音を聞くことになるので、このことを考慮して、各スピーカからの音圧レベルを設定することは、当然である。
【００４８】
以上説明したように、本発明のカメラを用いることによって、報知音を適切な音量及び音色で発することができ、周囲の人や撮影者及び被撮影者に不快な気持ちを与えることがなく、また、貴重なシャッタチャンスを逃すことも防止できる。
【図面の簡単な説明】
【００４９】
【図１】本件発明の一実施例としての電子カメラの前面図である。
【図２】本件発明の一実施例としての電子カメラの背面図である。
【図３】本件発明の一実施例としての電子カメラの構成を示すブロック図である。
【符号の説明】
【００５０】
１  ＣＰＵ
３  シャッタ
８  コンパクトフラッシュ（登録商標）
９  画像表示用ＬＣＤ
１１  音源ＬＳＩ
１３  撮影者用スピーカ
１４  被撮影者用スピーカ
１８  ファインダ
【図１】
2006047826.tif 000003
【図２】
2006047826.tif 000004
【図３】
2006047826.tif 000005